(57)【要約】【課題】液晶表示装置の表示品質を改善することができる面光源装置及びバックライトユニットを提供する。【解決手段】内部に密閉された放電空間を有し、少なくとも一面が可視光に対して透過性をもつ光源体と、該光源体の表面に形成されて前記放電空間を３部分以上に区切って各々の区画された領域に電圧を印加するための複数の電極部と、外部表示装置に係る映像信号と同期して前記複数の電極部に対して順次的な駆動電圧を印加する駆動部を含む面光源装置を提供する。光源体は複数の放電チャンネルを含むことができ、または内部に単一の放電空間を含むこともできる。本発明によれば、面光源装置を順次に分割駆動することにより、液晶表示装置で発生する残像を減少させることができる。また、映像信号の明るさに応じてデューティ比を変化させる駆動方式を採用することで、積算消費電力を低減でき、画面対照比がさらに向上する。【選択図】図３
2008147196.tif 000002
【特許請求の範囲】
【請求項１】
内部に密閉された放電空間を有し、少なくとも一面が可視光に対して透過性をもつ光源体と、
前記光源体の表面に形成されて前記放電空間を３部分以上に区切って各々の区画された領域に電圧を印加するための複数の電極部と、
外部表示装置に係る映像信号と同期して前記複数の電極部に対して順次に駆動電圧を印加する駆動部を含むことを特徴とする面光源装置。
【請求項２】
前記複数の電極部は、前記放電空間の区画された領域の両端に各々形成されており、前記駆動部は前記放電空間の区画された領域の両端で互いに逆位相の電圧を印加することを特徴とする請求項１に記載の面光源装置。
【請求項３】
前記駆動部は、区画された領域の最初の領域に印加された信号の終了時点が、前記外部表示装置に係る映像の垂直周波数信号の開始時点と一致するように前記電極部を駆動することを特徴とする請求項１に記載の面光源装置。
【請求項４】
前記駆動部の駆動周波数が２０ｋＨｚ〜６０ｋＨｚの範囲内であって、オンデューティ時間が０．１μｓ〜１０μｓの範囲であるインパルス波形の電圧を印加することを特徴とする請求項１に記載の面光源装置。
【請求項５】
前記駆動部が、前記放電空間の区画された領域に対してデューティ比５０％以下のパルス幅変調信号を印加することを特徴とする請求項１に記載の面光源装置。
【請求項６】
前記外部表示装置に係る映像の輝度信号に応じて前記パルス幅変調信号のデューティ比が、１０％〜５０％の範囲で変化することを特徴とする請求項５に記載の面光源装置。
【請求項７】
前記パルス幅変調信号のデューティ比が２５％〜４０％の範囲内で固定されて、前記パルス幅変調信号のオンデューティ区間で１ｋＨｚ以上のパルス信号が印加され、該パルス信号の数が、前記外部表示装置に係る映像の輝度信号によって調節されることを特徴とする請求項５に記載の面光源装置。
【請求項８】
前記電極部同士の間隔が、前記放電空間の区画された領域同士の間隔よりも大きくされたことを特徴とする請求項１に記載の面光源装置。
【請求項９】
前記光源体が複数の放電チャンネルを含むことを特徴とする請求項１に記載の面光源装置。
【請求項１０】
前記光源体が第１基板と第２基板を含み、該第１基板と第２基板の少なくとも一方に複数の放電チャンネルが形成されていることを特徴とする請求項９に記載の面光源装置。
【請求項１１】
前記光源体が平板状の第１基板及び第２基板を含み、該第１基板及び第２基板が一つの内部空間を形成することを特徴とする請求項１に記載の面光源装置。
【請求項１２】
前記電極部が、前記光源体の少なくとも一面に形成され、かつ出射光に対する開口率が６０％以上の面電極であることを特徴とする請求項１１に記載の面光源装置。
【請求項１３】
内部に密閉された放電空間を有し、少なくとも一面が可視光に対して透過性をもつ光源体と、該光源体の表面に形成されて前記放電空間を３部分以上に区切って各々の区画された領域に電圧を印加するための複数の電極部を含む面光源装置と、
前記面光源装置を収納するケースと、
外部表示装置に係る映像信号と同期して前記複数の電極部に対して順次に駆動電圧を印加する駆動部を含むことを特徴とするバックライトユニット。
【請求項１４】
前記複数の電極部は、前記放電空間の区画された領域の両端に各々形成されて、前記駆動部は前記放電空間の区画された領域の両端で互いに逆位相の電圧を印加することを特徴とする請求項１３に記載のバックライトユニット。
【請求項１５】
前記駆動部が、前記複数の電極部に対して順次に駆動電圧を印加するインバーターを含むことを特徴とする請求項１３に記載のバックライトユニット。
【発明の詳細な説明】
【技術分野】
【０００１】
本発明は、面光源装置及びそれを有するバックライトユニットに関するものであり、詳細には、放電空間を複数の領域に区切って順次に駆動する面光源装置と、この面光源装置を光源として有するバックライトユニットに関するものである。
【背景技術】
【０００２】
液晶表示装置は、液晶の電気的特性及び光学的特性を利用して映像を表示する。液晶表示装置は、陰極線管（ｃａｔｈｏｄｅ  ｒａｙ  ｔｕｂｅ；ＣＲＴ）等に比べて体積が非常に小さくて軽量であるという長所を有する。その結果、ポータブルコンピューター、通信機器、液晶式テレビジョン受像機（ｌｉｑｕｉｄ  ｃｒｙｓｔａｌ  ｔｅｌｅｖｉｓｉｏｎ  ｒｅｃｅｉｖｅｒ）及び宇宙航空産業等に広く使用されている。
【０００３】
液晶表示装置は、液晶を制御する液晶制御部及び液晶に光を供給する後面光源を含む。液晶制御部は、第１基板に配置された画素電極（ｐｉｘｅｌ  ｅｌｅｃｔｒｏｄｅ）、第２基板に配置された共通電極（ｃｏｍｍｏｎ  ｅｌｅｃｔｒｏｄｅ）及び画素電極と共通電極との間に介在する液晶を含む。画素電極については、解像度に応じて多数の電極からなり、共通電極は画素電極と対向して１個で成り立っている。各画素電極には、互いに異なるレベルを有する画素電圧（ｐｉｘｅｌ  ｖｏｌｔａｇｅ）を印加するために薄膜トランジスター（ｔｈｉｎ  ｆｉｌｍ  ｔｒａｎｓｉｓｔｏｒ；ＴＦＴ）が接続され、共通電極には等しいレベルのレファレンス電圧（ｒｅｆｅｒｅｎｃｅ  ｖｏｌｔａｇｅ）が印加される。画素電極及び共通電極は、導電性を有する透明な物質からなる。
【０００４】
後面光源から供給される光は、画素電極、液晶及び共通電極を順次に通過する。ここで、液晶通過後の映像表示品質は、後面光源の輝度及び輝度均一性によって大きく左右される。一般的に輝度及び輝度均一性が高いほど表示品質は良好になる。
【０００５】
従来の液晶表示装置の後面光源は、棒状の冷陰極線管方式ランプ（ｃｏｌｄ  ｃａｔｈｏｄｅ  ｆｌｕｏｒｅｓｃｅｎｔ  ｌａｍｐ；ＣＣＦＬ）またはドット状の発光ダイオード（ｌｉｇｈｔ  ｅｍｉｔｔｉｎｇ  ｄｉｏｄｅ；ＬＥＤ）が主に使用されてきた。冷陰極線管方式ランプは、輝度が高くて寿命が長く、白熱燈に比べて発熱量が非常に少ないという長所がある。一方、発光ダイオードは、消費電力が高いが輝度に優れるという長所がある。しかし、冷陰極線管方式ランプまたは発光ダイオードは、輝度均一性が良くないという短所を有している。そのため、冷陰極線管方式ランプまたは発光ダイオードを光源とする後面光源は、輝度均一性を高めるために導光板（ｌｉｇｈｔ  ｇｕｉｄｅ  ｐａｎｅｌ；ＬＧＰ）、拡散部材（ｄｉｆｆｕｓｉｏｎ  ｍｅｍｂｅｒ）及びプリズムシート（ｐｒｉｓｍ  ｓｈｅｅｔ）等の光学部材（ｏｐｔｉｃａｌ  ｍｅｍｂｅｒ）を必要とする。それにより冷陰極線管方式ランプまたは発光ダイオードを使用する液晶表示装置は、光学部材によって、体積及び重量が大幅に増加するという問題点を有している。
【０００６】
液晶表示装置用の後面光源として平板形態の面光源装置（ｆｌａｔ  ｆｌｕｏｒｅｓｃｅｎｔ  ｌａｍｐ：ＦＦＬ）が提案されたことがある。図１を参照すると、従来の面光源装置は、光源体１０と、該光源体１０の両側端外面に具備された電極２０を含む。光源体１０は、所定間隔を置いて対向配置された第１基板及び第２基板を含む。多数の隔壁３０が第１基板と第２基板の間に配置され、前記第１基板及び第２基板のそれぞれの縁部の間には、シーリング部材４０を配置することで前記放電空間５０を外部と隔離させる。放電空間５０には、放電ガスを注入する。
【０００７】
前記面光源装置を放電駆動するために、前記光源体１０の表面には電極２０が帯形態で放電空間５０当たり同じ面積を有するように形成される。インバーターを通じて前記面光源装置の全てのチャンネルで同様の放電が行われる。
【０００８】
液晶表示装置は液晶の応答特性上、残像が生じるという短所がある。特に、動画映像における画面残像は、表示品質を阻害するという問題がある。液晶表示装置が大型化するにつれて、表示品質の改善に対する要求がさらに高まっており、画面残像の問題を解決するための様々な試みが行われてはいるが、相変らず改善すべき点が数多く残っている。
【０００９】
一方、液晶表示装置は、後面光源であるバックライトで過度に電力が消費されてしまうという問題があり、バックライトの大型化及び輝度向上によって消費電力を減少させるという課題が、非常に切実となっている。また、既存のバックライト用蛍光ランプは、放電ガスに水銀を主に使用しているが、環境的な問題、例えば有害物質の使用制限指針（ＲｏＨｓ）等の規制によって、水銀を排除したバックライトに対する要求が非常に高まっている。
【発明の開示】
【発明が解決しようとする課題】
【００１０】
本発明は、上述した技術的背景の下で創案されたものであり、本発明の目的は、液晶表示装置の表示品質を改善することができる面光源装置及びバックライトユニットを提供することである。
【００１１】
本発明の他の目的は、駆動方式を改善して積算消費電力を減少させて、液晶表示装置等に高品位の映像を提供することができる面光源装置及びバックライトユニットを提供することである。
【００１２】
本発明のまた他の目的は、水銀を排除した面光源装置に適した駆動方法を提案することである。
【課題を解決するための手段】
【００１３】
前記目的を達成するために、本発明は内部に密閉された放電空間を有し、少なくとも一面が可視光に対して透過性をもつ光源体と、該光源体の表面に形成されて前記放電空間を３部分以上に区切って各々の区画された領域に電圧を印加するための複数の電極部と、外部表示装置に係る映像信号と同期して前記複数の電極部に対して順次に駆動電圧を印加する駆動部を含む面光源装置を提供する。
【００１４】
前記複数の電極部は、前記放電空間の区画された領域の両端に各々形成されており、前記駆動部は放電空間の区画された領域の両端で互いに逆位相の電圧を前記電極部に印加することができ、前記光源体は複数の放電チャンネルを含むこともでき、内部に単一の放電空間を含むこともできる。
【００１５】
前記電極部は、前記光源体の一面または両面に局部的に形成することもでき、出射光に対する開口率（ｏｐｅｎ  ｒａｔｉｏ）が大きくて光源体表面を実質的にカバーする多数の面電極を含むこともできる。
【００１６】
本発明は、また、内部に密閉された放電空間を有し、少なくとも一面が可視光に対して透過性をもつ光源体と、前記光源体の表面に形成されて前記放電空間を３部分以上に区切って各々の区画された領域に電圧を印加するための複数の電極部を含む面光源装置と、該面光源装置を収納するケースと、外部表示装置に係る映像信号と同期して前記複数の電極部に対して順次に駆動電圧を印加する駆動部を含むバックライトユニットを提供する。
【発明の効果】
【００１７】
本発明によると、面光源装置を多数の領域に区切り、これらの区画された領域を順次に分割駆動することで、液晶表示装置で発生する残像を減少させることができる。また、面光源装置を分割駆動することにより消費電力を減らすことができ、製品寿命を延ばして、画質向上を図ることができる。
【発明を実施するための最良の形態】
【００１８】
本発明は、面光源装置の発光領域を物理的にあるいは（電極部を分割することで）非物理的に多くの領域に区切って、区画された領域を順次に分割駆動することに第１の特徴がある。また、本発明は、液晶表示装置に係る映像信号と面光源装置の発光領域の区画された部分とを同期させて、各部を順次に駆動することに第２の特徴がある。
【００１９】
本発明者等は、このように映像信号と同期化された順次分割駆動で面光源装置を駆動して、液晶表示装置の残像を顕著に低減できることを確認した。図２は、本発明による面光源装置の駆動のためのシステムを模式的に示したブロック図である。ＬＣＤパネルの映像信号とバックライトの駆動信号を同期させるための同期回路を含み、映像信号の中で特に走査信号を面光源装置の区画された各領域に同期させて、順次分割駆動信号を発生させる順次分割制御部をさらに含む。この順次分割制御部は、独立な回路で構成することもでき、またバックライトに具備されるインバーターと共に一つのモジュールとして構成することもできる。
【００２０】
図３は、本発明の第１実施例による面光源装置を示した斜視図である。第１基板１１０と第２基板１２０を含む光源体は、縁部及び内部の隔壁１３０（または密封部材）によって複数の放電空間１４０に区画される。区画された放電空間には、光源体表面に電極部１５０ａ、１５０ｂ、１５０ｃ、１５０ｄが個別的に形成される。これらの電極部は、放電空間の両端にて一対に形成し、光源体の一面または両面に対向して形成することもできる。区画された放電空間１４０には、各々の電極部１５０ａ、１５０ｂ、１５０ｃ、１５０ｄによって順次に分割された電圧が印加される。分割された電圧は、各放電空間に対して順次にまたは部分的に交差しながら印加することもできる。
【００２１】
本発明において駆動電圧波形には、矩形波やインパルス形態の波形が好ましい。図４〜８は、本発明の面光源装置において多様な駆動方法による電圧波形を示したグラフである。
【００２２】
図４を参照すると、本図は信号を順次に印加した様子を例示したグラフであり、放電空間に第１電極部１５０ａを通じて第１信号（Ｓ１）を印加し、次に第２電極１５０ｂを通じて第２信号（Ｓ２）を印加して、その次に第３電極１５０ｃを通じて第３信号（Ｓ３）を印加し、最後に第４電極１５０ｄを通じて第４信号（Ｓ４）を印加して、１周期の信号印加が完了する。このような信号印加サイクルを繰り返すことによって、面光源装置の出射面あるいは発光面は、区画された領域が順次に発光するようになって、液晶表示装置の画面残像効果を低減させて画質を高めることができる。
【００２３】
液晶表示装置の残像除去効果を高めるためには、面光源の発光領域を３つ以上の部分、好ましくは４部分以上に区切って順次分割駆動するのが効果的であることを確認した。区画された領域は、各々の電極部を通じて別途の駆動部から信号の伝達を受けるか、あるいは一つの駆動部から別個の独立した信号の伝達を受けることができ、駆動部を制御する順次分割制御部で液晶表示装置の映像信号の走査線と一致する順次信号を駆動部に伝達する。前記順次分割制御部で発生した信号が、各駆動部のパルス幅変調（ＰＷＭ）信号を制御して、面光源装置が映像信号の走査線と同期して順次に光を放出するようになる。このように、面光源装置を順次に駆動することで、映像信号が入ってくる瞬間に該当の領域が点灯するようになり、その後に一定時間に亘って消灯する区間が存在するようになって、映像中にブラック（黒レベル）映像を挿入するのと類似の効果を得ることができる。
【００２４】
順次駆動の効果を最大化するためには図４に示したように、面光源装置の区画された領域中で最初の領域に印加される第１信号（Ｓ１）の終了時点（ａ）が、外部映像信号（ＶＳ）（液晶表示装置の垂直周波数をもつ信号）の開始地点と一致するように設定できる。このような方式で、液晶表示装置で画面映像の残像効果を最大限に減少させることができる。
【００２５】
また、液晶表示装置の画面残像を低減させるためには、駆動部のパルス幅変調信号においてデューティ比（ｄｕｔｙ  ｒａｔｉｏ）が５０％以下の場合に効果的であることを確認した。それと共に、映像信号の明るさ（輝度）信号に連動して、面光源装置の分割された領域に順次に印加される各々のパルス幅変調信号のオンデューティ（ｏｎ−ｄｕｔｙ）を変化させることにより、画面の対照（コントラスト）比を改善することができる。例えば、図５を参照すると、順次に印加される駆動電圧を外部映像信号（ＶＳ）に従ってＩ区間（デューティ比４０〜５０％）とＩＩ区間（デューティ比１０〜２０％）においてオンデューティを変えることで、Ｉ区間（明るい画面）及びＩＩ区間（暗い画面）で面光源装置から互いに異なる輝度の光を発生させることができる。このようにパルス幅変調信号に関してそのデューティ比を１０％〜５０％の範囲で変化させることで、残像除去効果と共に映像信号に連動して面光源装置の明るさを能動的に制御できる。従って、積算消費電力を低減させるだけでなく、液晶表示装置の画質を大幅に向上させることができる。
【００２６】
また、本発明による面光源装置は、パルス幅変調信号のデューティ比を固定したまま、オンデューティ区間でパルス信号を印加することにより、残像抑制効果を最大限に発揮させることもできる。図６を参照すると、映像垂直周波数が６０Ｈｚの場合、パルス幅変調信号のデューティ比を２５％〜４０％の範囲内で固定して、パルス幅変調信号のオンデューティ区間で１ｋＨｚ以上のパルス信号（ｂ）を印加する駆動波形を示している。
【００２７】
パルス幅変調信号のオンデューティ区間における１ｋＨｚ以上のパルス数は、液晶表示装置に係る映像信号の明るさ（輝度）に応じて調節することができる。このような面光源装置の駆動により、液晶表示装置の残像抑制効果及び映像画質を最大限に高めることができる。
【００２８】
一方、本発明による面光源装置は、矩形波形態の波形だけではなく、インパルス形態の電圧波形で駆動することもできる。
【００２９】
インパルス形態の波形で駆動時に、駆動周波数が２０ｋＨｚ（キロヘルツ）〜６０ｋＨｚの範囲で、オンデューティ時間は０．１μｓ（マイクロ秒）〜１０μｓの範囲が適切である。オンデューティ時間が短くなるほど、放電上昇時間（Ｒｉｓｅ−Ｔｉｍｅ）が早くなって面光源装置の効率が増加する。図７及び図８は、ハーフブリッジ駆動及びフルブリッジ駆動によるインパルス電圧波形の一例を各々に示したものであり、オンデューティ時間は０．１μｓ〜１０μｓの範囲内とされた。
【００３０】
本発明において、複数の電極部は、放電空間の区画された領域の両端に各々形成することができ、その場合、駆動部は両端の電極部に対して互いに逆位相の電圧を印加することが好ましい。すなわち、一方の電極の電圧位相がハイ（ｈｉｇｈ）である時、もう一方の電極の電圧位相はロー（ｌｏｗ）になるので、実質的に放電空間にかかる電圧が印加電圧の２倍になる。
【００３１】
本発明による面光源装置で複数の電極部は、順次分割駆動中に隣接した放電領域で望ましくない放電を引き起こさないよう防止するために、図９に示したように、各々の電極部１５０ｂ、１５０ｃの間を、区画された放電空間同士の間隔（例えば、図９の隔壁１３０の間隔）よりも大きく拡げることができる。電極部間の拡張された間隔（Ｗ）は、放電空間同士の間隔に応じて変えられる。
【００３２】
図１０及び図１１を参照すると、本発明の第２実施例による面光源装置２００を示している。前記面光源装置２００は、光源体２１０と、該光源体２１０の両側端外面に具備された複数の電極部２５０ａ、２５０ｂ、２５０ｃ、２５０ｄを含む。
【００３３】
前記光源体２１０は、所定間隔を置いて対向配置された第１基板２１２及び第２基板２１４を含み、多数の隔壁部２２５によって第１基板と第２基板との間の空間を複数の放電チャンネル２２０に区切る。放電チャンネル２２０及び隔壁部２２５は、例えば第１基板２１２を成形により形成でき、第１基板の代わりに、あるいは追加的に第２基板を成形により形成することもできる。第１基板２１２及び第２基板２１４の縁部の間には、密封部材２３０を配置して前記放電チャンネル２２０を外部と隔離させる。放電チャンネル２２０内部の放電空間２４０には、放電ガスを注入する。図示しないが、放電チャンネル２２０内部には蛍光層と保護層等をさらに含むことができ、第１基板と第２基板のいずれか一方に反射層を形成することもできる。
【００３４】
前記面光源装置を駆動するために、前記第１基板２１２及び／または第２基板２１４には、複数の電極部２５０ａ、２５０ｂ、２５０ｃ、２５０ｄが形成され、前記放電チャンネル２２０が４つ以上の領域に区画される。前記電極部には、区画された放電チャンネルに順次に分割された電圧を印加する。
【００３５】
図１２及び図１３は、本発明の第３実施例による面光源装置３００を示す。この面光源装置３００は、平板状をした第１基板３１０及びこれと同一形状とされる平板状の第２基板３２０を含む。第１基板３１０と第２基板３２０は、所定間隔をもって互いに対向しており、縁部には密封部材３３０を挿入して密閉空間を形成する。
【００３６】
前記面光源装置３００では、第１基板３１０と第２基板３２０によって形成される光源体の外部表面に、大面積の複数の電極部３５０ａ、３５０ｂ、３５０ｃ、３５０ｄを形成する。これらの電極部は、実質的に基板面積全体をカバーする平板形態の面電極（ｓｕｒｆａｃｅ  ｅｌｅｃｔｒｏｄｅ）で形成される。前記電極部については、光源体から放電によって出射される光の透過度を高めるために、基板を露出させる開口率（ｏｐｅｎ  ｒａｔｉｏ）が、６０％以上であることが好ましい。
【００３７】
前記第１基板３１０と第２基板３２０及び密封部材３３０によって画成される内部は、隔壁によって区画された複数の放電空間ではなく、単一の連通した開構造の放電空間３４０を形成する。複数の電極部３５０ａ、３５０ｂ、３５０ｃ、３５０ｄは、放電空間３４０を非物理的に区画し、各々の電極部に順次に印加される分割駆動電圧によって、放電空間では局部的に順次に放電が行われる。
【００３８】
第１基板３１０と第２基板３２０との間隔は、基板面積と比べると非常に小さくされ、内部空間が一つの開かれた構造に形成され、真空排気及び放電ガスの注入が非常に容易である。また、放電ガスとして水銀以外のガス、例えばゼノン（キセノン）、アルゴン、ネオン、その他の不活性ガスまたはこれらの混合ガス等を使用でき、面光源装置を構成するのに好適である。前記第１基板３１０と第２基板３２０との間の放電空間３４０は、スペーサー３３５によって上下方向の高さが決定される。
【００３９】
平板型の電極部は、図１３に示すように第１基板３１０の表面に形成された上部電極部３５０と、第２基板３２０の表面に形成された下部電極部３６０を含むことができる。また、上部電極部と下部電極部のいずれか一方は、放電空間３４０の内部に形成してもよい。
【００４０】
本実施例に係る電極部の形態には様々な変形例が挙げられる。例えば、図１４に示したように、第１基板３１０表面に複数の電極部、３５０ａ、３５０ｂ、３５０ｃ、３５０ｄを形成し、第２基板３２０には一つの面電極３６０を形成することもでき、また図１５に示したように、第１基板３１０に複数の第１電極部３５０ａ、３５０ｂ、３５０ｃ、３５０ｄを形成し、第２基板３２０には第１電極部の形成方向に対して垂直な方向（９０°回転した方向）に配置された複数の第２電極部３６０ａ、３６０ｂ、３６０ｃ、３６０ｄ、３６０ｅ、３６０ｆを形成することもできる。
【００４１】
図１６は、本発明の超薄型面光源装置を含むバックライトユニットを例示した分解斜視図である。図示の例によると、バックライトユニットは、面光源装置２００、上部ケース１１００及び下部ケース１２００、光学シート９００及びインバーター１３００を含む。
【００４２】
前記下部ケース１２００は、面光源装置２００を収納するために底部１２１０及び底部１２１０の周縁部から収納空間を形成するために延長された複数の側壁部１２２０を備える。前記面光源装置２００は、下部ケース１２００の収納空間に収納される。
【００４３】
前記インバーター１３００は、下部ケース１２００の背面に配置され、面光源装置２００を駆動するための放電電圧を発生させる。インバーター１３００から発生された放電電圧は、第１電源線１３５２及び第２電源線１３５４を通じて面光源装置２００の電極部にそれぞれ印加される。
【００４４】
前記インバーター１３００には、前述した順次分割制御部を含むこともでき、別途のユニットに順次分割制御部を分離することもできる。インバーターを通じて印加される駆動電圧は、複数の電極部２５０の各部分に対して順次に印加されて面光源装置２００を局部的に順次に発光させる。
【００４５】
前記光学シート９００は、面光源装置２００から出射される光を均一に拡散させるための拡散板と、拡散した光に直進性を付与するためのプリズムシートを含むことができる。上部ケース１１００は、下部ケース１２００に結合されて面光源装置２００と光学シート９００を支持する。上部ケース１１００は、面光源装置２００が下部ケース１２００から離脱しないように防止する。図示の例とは異なり、前記上部ケース１１００及び下部ケース１２００を一体型ケースとして形成することもできる。一方、本発明によるバックライトユニットは、面光源装置の輝度及び輝度均一度に優れるため、光学シート９００を含まない場合もあり得る。
【産業上の利用可能性】
【００４６】
本発明によれば、面光源装置を順次に分割駆動することにより、液晶表示装置で発生する残像を低減できる。また、面光源装置を分割駆動することにより、消費電力を減少させ、製品寿命を延ばし、画質向上を図ることができる。
【００４７】
以上に本発明の好ましい実施例を参照して説明したが、該当の技術分野の熟練した当業者または該当の技術分野で通常の知識を有する者であれば、特許請求の範囲に記載された本発明の思想及び技術領域から逸脱しない範囲内で、本発明を多様に修正及び変更し得る。
【図面の簡単な説明】
【００４８】
【図１】面光源装置の一例を示した平面図である。
【図２】本発明の面光源装置またはバックライトの駆動のためのシステムブロック図である。
【図３】本発明の一実施例による面光源装置を示した斜視図である。
【図４】本発明の面光源装置に印加される駆動電圧波形を例示したグラフである。
【図５】本発明の面光源装置に印加される駆動電圧波形の別例を示したグラフである。
【図６】本発明の面光源装置に印加される駆動電圧波形のさらに別例を示したグラフである。
【図７】ハーフブリッジ駆動によるインパルス電圧波形の一例を示した図である。
【図８】フルブリッジ駆動によるインパルス電圧波形の一例を示した図である。
【図９】図３の電極部の部分拡大図である。
【図１０】本発明の他の実施例による面光源装置を示した斜視図である。
【図１１】図１０のＸ−Ｘ’線に沿う断面図である。
【図１２】本発明のまた他の実施例による面光源装置を示した斜視図である。
【図１３】図１２のＹ−Ｙ’線に沿う断面図である。
【図１４】図１２の実施例における面光源装置の上下各面での電極部を示した平面図である。
【図１５】図１２の実施例における面光源装置の上下各面での電極部について別の形態を示した平面図である。
【図１６】本発明の面光源装置を具備するバックライトユニットの分解斜視図である。
【符号の説明】
【００４９】
１１０：第１基板
１２０：第２基板
１３０：隔壁
１４０：放電空間
１５０ａ、１５０ｂ、１５０ｃ、１５０ｄ：電極部
２００：面光源装置
【図１】
2008147196.tif 000003
【図２】
2008147196.tif 000004
【図３】
2008147196.tif 000005
【図４】
2008147196.tif 000006
【図５】
2008147196.tif 000007
【図６】
2008147196.tif 000008
【図９】
2008147196.tif 000009
【図１０】
2008147196.tif 000010
【図１１】
2008147196.tif 000011
【図１２】
2008147196.tif 000012
【図１３】
2008147196.tif 000013
【図１４】
2008147196.tif 000014
【図１５】
2008147196.tif 000015
【図１６】
2008147196.tif 000016
【図７】
2008147196.tif 000017
【図８】
2008147196.tif 000018